(57)【要約】【課題】  コーヒー、茶、コーラ、ジュースなどの飲料、特に加温された飲料を紙コップやプラスチックコップに注いで店頭で販売する際に好適に用いられる包装材を提供する。【解決手段】  包装するコップの全側面に巻き付け可能であって、コップの上部で絞ることのできる大きさを有する常温賦形性の扇面状シート２を表面とし、その裏面に包装するコップの側面に巻き付け可能であり、断熱性を有する扇面状シートを接合して包装材１とする。【選択図】      図４
2008174267.tif 000002
【特許請求の範囲】
【請求項１】
包装するコップの全側面に巻き付け可能であって、コップの上部で絞ることのできる大きさを有する常温賦形性の扇面状シートを表面とし、
その裏面に包装するコップの側面に巻き付け可能で、断熱性を有する扇面状シートが設けてあること
を特徴とする飲料入りコップ用包装材。
【請求項２】
前記断熱性を有する扇面状シートが、
包装するコップの上面への折曲部を有し、折り曲げのための切り込みが上辺全体に所定間隔をおいて設けられているものであること
を特徴とする請求項１に記載の飲料入りコップ用包装材。
【請求項３】
前記常温賦形性の扇面状シートが、
その表面形状または材質により、あるいは施された彩色または印刷により装飾性が付与されたシートであること
を特徴とする請求項１又は２に記載の飲料入りコップ用包装材。
【請求項４】
前記常温賦形性の扇面状シートが、
紙またはプラスチックシートであって、前記耐熱性を有する扇面状シートが、板紙、波形紙、プラスチック発泡シートまたはプラスチック波形シートであること
を特徴とする請求項１〜３のいずれかに記載の飲料入りコップ用包装材。
【発明の詳細な説明】
【技術分野】
【０００１】
この発明は、コーヒー、茶、コーラ、ジュースなどの飲料、特に加温された飲料を紙コップやプラスチックコップに注いで、店頭で販売する際に好適に用いられる包装材に関するもので、包装材関連の技術分野に属するものである。
【背景技術】
【０００２】
コーヒーショップやファーストフード店、さらには列車内や街頭の移動店舗などで、コーヒー、茶、コーラ、ジュースなどを飲用のために販売する際に、紙コップやプラスチックコップが幅広く使用されている。
【０００３】
これら飲料の販売の際に、コーヒ−やお茶などの提供飲料が加温されたもの、すなわち熱いものである場合、紙コップもプラスチックコップも薄いフィルムで形成されているため、熱伝導性がよく、飲料の注入されたコップをそのまま、手で持つのは困難である。
また、冷たいものの場合も同様であって、冷たい飲料では、さらに結露により手が濡れるという欠点も有している。
【０００４】
そのため、従来から、熱いあるいは冷たい飲料の入った紙コップやプラスチックコップを手で持つための工夫が種々なされてきており、それらの具体例の一部を示すと以下の通りである。
【０００５】
例えば、実用新案登録第３１２０９７８号公報（特許文献１）には、持つときに手が熱く、持ちにくいという問題点を解決するものとして、紙コップの２箇所に取り付けられ、ガードを伴なった把持部からなる紙コップホルダーが示されている。
【０００６】
また、特開平７−２１３４０８号公報（特許文献２）には、平面視で略二等辺三角形状の２枚重ねの把持部を有するコップを、上記問題を解決する従来技術として図５において例示し、かつ、それが有する問題点を解決するものとして、弓形の帯板を円環状にしてコップに巻き付けるとともに、帯板の両末端を重ね合わせて把持部とする紙コップホルダーが示されている。
【０００７】
さらに、特開平９−１５４６９７号公報（特許文献３）には、特許文献２の紙コップホルダーを改良するものとして、波形紙からなる弓形の帯板を円環状にしてコップに巻き付けるとともに、その両端を平面的なロック構造によって結合し、把持部を有さない紙製コップホルダーが示されている。
【０００８】
一方、実開平６−５５７２号公報（特許文献４）には、立食パーティ等において提供される、冷えたビールやウィスキーは、グラス表面に水滴を生じさせるので、水滴によって手のひらやテーブルが濡れるのを防ぐために用いられている紙ナプキンの代わりとして、グラスの底部を受ける受部、受部から立ち上りグラス下部を囲む把持部、把持部の上部に設けてある飾り部とからなるグラス仮受け具が示されている。
このグラス仮受け具は、紙ナプキンのようにグラスに巻く必要がなく、飾り部によりお洒落でパーティの雰囲気を盛り上げるものであるとしている。
【特許文献１】実用新案登録第３１２０９７８号公報（実用新案登録請求の範囲、段落番号「０００１」）
【特許文献２】特開平７−２１３４０８号公報（特許請求の範囲、図５）
【特許文献３】特開平９−１５４６９７号公報（特許請求の範囲、段落番号「０００５」〜「０００８」）
【特許文献４】実開平６−５５７２号公報（実用新案登録請求の範囲、段落番号「０００１」、「００１７」）
【発明の開示】
【発明が解決しようとする課題】
【０００９】
特許文献１〜３に記載のコップホルダーはいずれも、コップの表面の温度が、コップ内の熱い飲料により上昇し、持ち難いという問題を解決するものである。
しかしながら、それは、単に飲用者の利便性だけのことで、上述した店頭での販売、すなわち、店員から顧客への手渡し、換言すればハンドリング性のことの考慮されてないものであった。
また、商品に必要とされる装飾性、すなわち、販売する商品としてのコップ入り飲料の装飾性についても考慮されてないものである。
【００１０】
特許文献４に記載の仮受け具は、結露による濡れを防止し、且つ装飾性を考慮したものであるが、本来、立食パーティ等で使用されるものであるから当然であるが、上記したハンドリング性のことは、その構造から明らかなように考慮されていない。
また、構造は複雑で、積み重ねにも適さず収納にも不適であって、コップ入り飲料の販売の際に用いることはでき難いものである。
【００１１】
この発明はかかる現状に鑑み、上記した問題点のない、すなわち、熱い飲料でも、冷たい飲料でも支障なく、紙コップやプラスチックコップコップに注出しての販売が良好なハンドリングのもとに行え、かつ販売促進に役立つ、飲料入りコップの装飾性に優れた包装材を提供せんとするものである。
【課題を解決するための手段】
【００１２】
発明者は、上記問題点の存在しない、コップ入り飲料の販売の際に用いられる包装材を開発すべく検討し、この発明を完成したのである。
【００１３】
すなわち、この発明の請求項１に記載の発明は、
包装するコップの全側面に巻き付け可能であって、かつコップの上部で絞ることのできる大きさを有する常温賦形性の扇面状シートを表面とし、
その裏面に包装するコップの側面に巻き付け可能であって、断熱性を有する扇面状シートが設けてあること
を特徴とする飲料入りコップ用包装材である。
【００１４】
また、この発明の請求項２に記載の発明は、
請求項１に記載の飲料入りコップ用包装材において、
前記断熱性を有する扇面状シートが、
包装するコップの上面への折曲部を有し、折り曲げのための切り込みが上辺全体に所定間隔をおいて設けられているものであること
を特徴とするものである。
【００１５】
また、この発明の請求項３に記載の発明は、
請求項１又は２に記載の飲料入りコップ用包装材において、
前記常温賦形性の扇面状シートが、
その表面形状または材質により、あるいは施された彩色または印刷により装飾性が付与されたシートであること
を特徴とするものである。
【００１６】
また、この発明の請求項４に記載の発明は、
請求項１〜３のいずれかに記載の飲料入りコップ用包装材において、
前記常温賦形性の扇面状シートが、
紙またはプラスチックシートであって、前記断熱性を有する扇面状シートが、板紙、波形紙、プラスチック発泡シートまたはプラスチック波形シートであること
を特徴とするものである。
【発明の効果】
【００１７】
この発明の飲料入りコップ用包装材は、表面の常温賦形性の扇面状シートと裏面の断熱性を有する扇面状シートから構成されているため、コップに簡単に巻き付け包装することが可能である。
また、裏面のシートが断熱性を有するもので、飲料、特に熱いあるいは冷たい飲料入りのコップを、冷熱温度に影響されることなく、把持することができ、生じた水滴で手が濡れるなどを心配もなく、販売員から顧客への手渡し作業において、全く支障を生ずることのないものである。
【００１８】
また、表面の常温賦形性の扇面状シートは、包装するコップの全側面に巻き付け可能であるとともに、コップの上部で絞ることのできる大きさを有するため、飲料入りコップを完全に覆うことができる。
さらに、当該シートに彩色や印刷を施すことにより、商品としての飲料入りコップに自由自在に装飾を施すことが出来、顧客の関心を惹き付け、販売促進に著しく貢献するものである。
【００１９】
さらにまた、この発明の包装材は扇面状で、飲料を入れたコップの包装が容易であるうえ、包装後の形態が、円垂体状になるため、包装されたコップが安定に保持され、コップ内の飲料を零すおそれが少ない包装体を形成するものである。
【００２０】
なお、裏面の断熱性を有する扇面状シートの上辺に折り曲げのための切り込みを設けることにより、包装するコップの上面に、通常飲料注入後に施された蓋の上に、シートの上辺を折り込んで、包装体内のコップを固定することができ、安定した状態で持ち運びができ、コップ内の飲料を零すおそれをさらに小さくすることができる。
【発明を実施するための最良の形態】
【００２１】
この発明の飲料入りコップ用包装材（以下、単に包装材と云う。）は、常温賦形性シートと断熱性シートとで構成するに際し、その形状を扇面状としたことを特徴とするものである。
その扇面形状は、包装するコップの形状、すなわち、コップの上部と底部の直径および高さ、当然それにより規定される側面の傾斜角に応じて、扇面の天と地の長さ、天と地との幅および側辺の傾斜角などに基づいて定められるものである。
【００２２】
包装材の表面を形成する常温賦形性シートは、コップに巻き付けられるだけでなく、コップに巻きつけた後に、コップの上方で、シート自体を絞り、あるいは捻ることができるように、天と地との幅をコップの高さよりも大きくしたものである。
かかる常温賦形性シートの材質としては、コップの上方で、シート自体を絞り、あるいは捻った際に、その絞りあるいは捻りにより生じた形状が維持できる、常温賦形性を有するものであれば、紙またはプラスチックシートなど任意に選択できるが、環境保護の面からも賦形性の面からも、紙が好ましく、一般に包装に使用されている包装紙などが任意に用いられる。
【００２３】
包装材の裏面に用いられる断熱性シートは、天と地との幅をコップの高さに合わせたものが好ましく、より好ましくは、包装するコップの上面に、通常飲料注入後に施された蓋の上に、シートの上辺を折り曲げて、包装体内のコップを固定することができるように、天と地との幅をコップの高さに折曲部の幅が付加されたものである。
この断熱性シートの材質としては、コップに注入された飲料の冷熱を、持ち運びに支障のない程度に遮断できるものであればよい。
具体的には、板紙、波形紙、プラスチック発泡シートまたはプラスチック波形シートなどが挙げられ、好ましいいものは、賦形性シートの場合と同様に、板紙などの断熱性のある紙である。
【００２４】
常温賦形性シートと断熱性シートからなる、この発明の扇面シート状の包装材は、断熱性シートの面を、飲料が入れられたコップ側面に当てて巻き付け、粘着テープなどでシートの端部同士を固定し、コップの上方に展延している常温賦形性シートは、絞り込んで封をするような形として使用される。
なお、その際、コップの高さよりも幅のある断熱性シートを用い、該断熱性シートの上部を折曲げて、コップを固定するようにして使用するのが好ましく、特にコップに蓋をして、該蓋の上に断熱性シートを折曲げて、コップを固定するのが好ましい。
【００２５】
上記コップの蓋としては、ストロー付きの蓋とすると、包装材を取外すことなく、コップ内の飲料を飲むことができるので、好ましい。
また、粘着テープとしては、予め、扇面状シートの側辺に両面テープを施しておいて使用することも、包装の際に別途用意したものを使用することもでき、粘着テープ以外の固着手段を採用することもできる。
【実施例】
【００２６】
以下、図面を参照しながら一実施例に基づいて、この発明をさらに詳細に説明する。
図１は、この発明の包装材の正面図で、図２は、この発明の包装材の背面図である。
図３は、コップにこの発明の包装材を巻き付け、断熱シートの上部折曲部をコップの上面に折り曲げた状態を示す平面図である。なお、同図においてコップは省略されている。図４は、この発明の包装材でコップを包装した状態を示す斜視図である。
【００２７】
この発明の包装材１は、図１、図２に示されるように、表面を形成する常温賦形性シートである包装用紙２と、裏面に施される断熱性シートである板紙３からなる扇面シート状とで構成されている。
前記包装用紙２は、その表面に所望のデザインを施したものである。また、板紙３はコップに巻き付ける巻付部４とコップの上面に折曲げるための折曲部５からなり、折曲部５には折り曲げ用の切り込み６が所定の間隔で、折曲部５の全面に設けられている。
また、巻付部４は、接着剤などで包装用紙２に接合されている。
【００２８】
図１に示される包装材１は、巻付部４を飲料を入れたコップの側面に当てながら、コップに巻き付け、巻付部４の末端を粘着テープなどで他端に固定することにより、コップを包装することができる。
その際、折曲部５をコップの上面に折曲げることにより、コップを固定化することができる。その状態を示したのが図３である。
なお、図３において、コップの図示は省略してあるが、ストロー付きの蓋が施されており、折曲部５による固定化がより確実に行われている。
【００２９】
コップに巻き付けられた包装材１は、図３に示されるように、コップの上方に包装用紙２が展延しているので、その展延部分を、図４に示されるように絞り込むことによって、包装完了とされる。
図４において、７はストローで、これにより包装を解かずに、中のコップに注入された飲料を飲むことができる。
【００３０】
この発明の飲料入りコップ用包装材は、コーヒーショップやファーストフード店、さらには列車内や街頭の移動店舗などで、コーヒー、茶、コーラ、ジュースなどを飲用のために販売する際に広く使用可能なものであり、サービス産業、布いては包材産業において幅広く使用される可能性の高いものである。
【図面の簡単な説明】
【００３１】
【図１】この発明の包装材の一部切欠き正面図である。
【図２】この発明の包装材の背面図である。
【図３】この発明の包装材を用いての包装途次の平面図である。
【図４】この発明の包装材でコップを包装した状態を示す斜視図である。
【符号の説明】
【００３２】
１    包装材
２    常温賦形性シート（紙）
３    断熱性シート（板紙）
４    巻付部
５    折曲部
６    切り込み
７    ストロー
【図１】
2008174267.tif 000003
【図２】
2008174267.tif 000004
【図３】
2008174267.tif 000005
【図４】
2008174267.tif 000006